(57)【要約】【課題】書込信号が入力される入力部にケーブルが接続されたり、当該入力部に接続される信号線がクランプされるという不正行為が行われた場合にも、磁気カードに記録されたデータが不正に取得されるのを防止することが可能なデータ書込装置を提供する。【解決手段】磁気ヘッド４は、磁気カードにデータを書き込む読取書込部４１と、読取書込部４１に供給される書込信号が入力される入力端子４３ｂと、読取書込部４１と入力端子４３ｂとを電気的に接続するか否かを切り替える切替回路４２ｃとを備える。【選択図】図３
2011215748.tif 000002
【特許請求の範囲】
【請求項１】
磁気カードにデータを書き込む書込部と、
前記書込部に供給される書込信号が入力される第１入力部と、
前記書込部と前記第１入力部とを電気的に接続するか否かを切り替える切替部とを備える、ことを特徴とするデータ書込装置。
【請求項２】
請求項１に記載のデータ書込装置において、
磁気カードに記録されたデータを読み取る読取部と、
前記読取部により読み取られたデータを暗号化する暗号化回路と、
前記暗号化回路により暗号化されたデータを出力する出力部とをさらに備える、ことを特徴とするデータ書込装置。
【請求項３】
請求項１または請求項２に記載のデータ書込装置において、
前記切替部を制御する制御信号が入力される第２入力部をさらに備える、ことを特徴とするデータ書込装置。
【請求項４】
請求項１または請求項２に記載のデータ書込装置において、
前記書込部により磁気カードに対する書き込みが行われるか否かを判断する判断部をさらに備え、
前記切替部は、前記判断部により磁気カードに対する書き込みが行われると判断された場合にのみ、前記書込部と前記第１入力部とを電気的に接続する、ことを特徴とするデータ書込装置。
【請求項５】
磁気カードが挿入される挿入口と、
前記挿入口に挿入された磁気カードを搬送する搬送部と、
前記搬送部により搬送される磁気カードにデータを書き込むためのデータ書込装置と、を備え、
前記データ書込装置は、前記搬送部により搬送される磁気カードにデータを書き込む書込部と、前記書込部に供給される書込信号が入力される第１入力部と、前記書込部と前記第１入力部とを電気的に接続するか否かを切り替える切替部とを含む、ことを特徴とするカード処理装置。
【請求項６】
請求項５に記載のカード処理装置において、
前記データ書込装置は、前記搬送部により搬送される磁気カードに記録されたデータを読み取る読取部と、前記読取部により読み取られたデータを暗号化する暗号化回路と、前記暗号化回路により暗号化されたデータを出力する出力部とをさらに含む、ことを特徴とするカード処理装置。
【請求項７】
請求項５または請求項６に記載のカード処理装置において、
前記データ書込装置の切替部を制御する制御部をさらに備え、
前記データ書込装置は、前記制御部から制御信号が入力される第２入力部をさらに含み、
前記制御部は、前記書込部により磁気カードにデータが書き込まれないときには、前記書込部と前記第１入力部とを電気的に切断するように前記切替部を制御する制御信号を前記第２入力部に出力し、前記書込部により磁気カードにデータが書き込まれるときには、前記書込部と前記第１入力部とを電気的に接続するように前記切替部を制御する制御信号を前記第２入力部に出力する、ことを特徴とするカード処理装置。
【請求項８】
請求項５または請求項６に記載のカード処理装置において、
前記データ書込装置は、前記書込部により磁気カードに対する書き込みが行われるか否かを判断する判断部をさらに含み、
前記切替部は、前記判断部により磁気カードに対する書き込みが行われると判断された場合にのみ、前記書込部と前記第１入力部とを電気的に接続する、ことを特徴とするカード処理装置。
【発明の詳細な説明】
【技術分野】
【０００１】
本発明は、磁気カードにデータを書き込む書込部を含むデータ書込装置およびそれを備えたカード処理装置に関する。
【背景技術】
【０００２】
従来、図１５に示すような磁気ヘッド（読み取りヘッド）５００を備えたカード処理装置が知られている。この磁気ヘッド５００は、磁気カードに記録されたデータを読み取る読取部５０１と、読取部５０１により読み取られた信号を出力する出力端子（読み取り端子）５０２とを含んでいる。読取部５０１は、コア５０１ａとコイル５０１ｂとを有する。出力端子５０２には、ケーブル５１０が接続されている。
【０００３】
このような磁気ヘッド５００では、出力端子５０２にケーブル５１０とは別のケーブルが接続されることにより、読取部５０１により読み取られた信号が不正に取得されるおそれがあった。また、ケーブル５１０がクランプされることにより、読取部５０１により読み取られた信号が不正に取得されるおそれもあった。これにより、磁気カードに記録されたデータが不正に取得されるおそれがあった。
【０００４】
そこで、従来では、磁気カードに記録されたデータが不正に取得されるのを防止するカード処理装置が種々提案されている（たとえば、特許文献１および２参照）。
【０００５】
上記特許文献１には、磁気カードに記録されたデータを読み取る読取部と、読取部により読み取られた信号を復号する復号回路と、復号回路により復号されたデータを暗号化する暗号化回路とを含む磁気ヘッドを備えたカード処理装置が開示されている。このカード処理装置では、磁気ヘッドから出力されるデータが不正に取得された場合にも、磁気ヘッドから出力されるデータは暗号化されているので、磁気カードに記録されたデータが不正に取得されるのを防止することが可能である。なお、このような磁気ヘッドは、既に製品化もされている。
【０００６】
上記特許文献２には、磁気カードに記録されたデータを読み取る磁気ヘッドと、磁気ヘッドから出力される信号を復号する復号回路と、復号回路により復号されたデータを暗号化する暗号化回路とを備えたカード処理装置が開示されている。このカード処理装置では、磁気ヘッドの出力部から復号回路を介して暗号化回路の入力部までが樹脂によりモールドされているので、磁気カードに記録されたデータが不正に取得されるのを防止することが可能である。
【０００７】
しかしながら、上記特許文献１および２には、書き込み用の磁気ヘッドにおいて、磁気カードに記録されたデータが不正に取得されるのを防止する構成については、開示も示唆もされていない。
【０００８】
ここで、従来では、図１６に示すような磁気ヘッド（書き込みヘッド）６００を備えたカード処理装置も知られている。この磁気ヘッド６００は、磁気カードにデータを書き込む書込部６０１と、書込信号が入力される入力端子（書き込み端子）６０２とを含んでいる。書込部６０１は、コア６０１ａとコイル６０１ｂとを有する。入力端子６０２には、信号線６１０が接続されている。
【０００９】
また、従来では、図１７に示すような磁気ヘッド（読み取り／書き込みコンビネーションヘッド）７００を備えたカード処理装置も知られている。この磁気ヘッド７００は、磁気カードに記録されたデータを読み取るとともに、磁気カードにデータを書き込む読取書込部７０１と、読取書込部７０１により読み取られた信号を出力する出力端子（読み取り端子）７０２と、書込信号が入力される入力端子（書き込み端子）７０３とを含んでいる。
【００１０】
読取書込部７０１は、コア７０１ａと、読み取り用のコイル７０１ｂと、書き込み用のコイル７０１ｃとを有する。出力端子７０２には、ケーブル７１０が接続され、入力端子７０３には、信号線７２０が接続されている。
【先行技術文献】
【特許文献】
【００１１】
【特許文献１】特開２００２−１８９９８７号公報
【特許文献２】特開２００５−２６７０３１号公報
【発明の概要】
【発明が解決しようとする課題】
【００１２】
図１６に示すような磁気ヘッド６００では、非書き込み時に、磁気カードが磁気ヘッド６００と接触しながら搬送された場合には、書込部６０１により磁気カードに記録されたデータが読み取られ、読み取られた信号が入力端子（書き込み端子）６０２にあらわれる。
【００１３】
したがって、従来の書き込み用の磁気ヘッド６００では、入力端子６０２に別のケーブルが接続されたり、信号線６１０がクランプされることにより、磁気カードに記録されたデータが不正に取得されるおそれがあるという問題点がある。
【００１４】
また、同様に、図１７に示すような磁気ヘッド７００では、磁気カードの読み取り時に、読取書込部７０１により読み取られた信号が出力端子（読み取り端子）７０２から出力されるとともに、読取書込部７０１により読み取られた信号が入力端子（書き込み端子）７０３にもあらわれる。
【００１５】
したがって、従来の読み取りおよび書き込み用の磁気ヘッド７００では、入力端子７０３に別のケーブルが接続されたり、信号線７２０がクランプされることにより、磁気カードに記録されたデータが不正に取得されるおそれがあるという問題点がある。
【００１６】
本発明は、上述した課題を解決するものであって、その目的とするところは、書込信号が入力される入力部にケーブルが接続されたり、当該入力部に接続される信号線がクランプされるという不正行為が行われた場合にも、磁気カードに記録されたデータが不正に取得されるのを防止することが可能なデータ書込装置およびカード処理装置を提供することである。
【課題を解決するための手段】
【００１７】
本発明のデータ書込装置は、磁気カードにデータを書き込む書込部と、書込部に供給される書込信号が入力される第１入力部と、書込部と第１入力部とを電気的に接続するか否かを切り替える切替部とを備える。なお、書込信号とは、書込部により磁気カードに書き込まれるデータに対応する信号である。
【００１８】
このように構成することによって、切替部により書込部と第１入力部とを電気的に切断することにより、書込部により磁気カードに記録されたデータが読み取られた場合にも、読み取られた信号が第１入力部にあらわれなくなる。これにより、第１入力部にケーブルが接続されたり、第１入力部に接続される信号線がクランプされるという不正行為が行われた場合にも、磁気カードに記録されたデータが不正に取得されるのを防止することができる。
【００１９】
上記データ書込装置において、磁気カードに記録されたデータを読み取る読取部と、読取部により読み取られたデータを暗号化する暗号化回路と、暗号化回路により暗号化されたデータを出力する出力部とをさらに備えていてもよい。
【００２０】
上記データ書込装置において、切替部を制御する制御信号が入力される第２入力部をさらに備えていてもよい。
【００２１】
上記データ書込装置において、書込部により磁気カードに対する書き込みが行われるか否かを判断する判断部をさらに備え、切替部は、判断部により磁気カードに対する書き込みが行われると判断された場合にのみ、書込部と第１入力部とを電気的に接続するようにしてもよい。
【００２２】
また、本発明のカード処理装置は、磁気カードが挿入される挿入口と、挿入口に挿入された磁気カードを搬送する搬送部と、搬送部により搬送される磁気カードにデータを書き込むためのデータ書込装置とを備え、データ書込装置は、搬送部により搬送される磁気カードにデータを書き込む書込部と、書込部に供給される書込信号が入力される第１入力部と、書込部と第１入力部とを電気的に接続するか否かを切り替える切替部とを含む。
【００２３】
上記カード処理装置において、データ書込装置は、搬送部により搬送される磁気カードに記録されたデータを読み取る読取部と、読取部により読み取られたデータを暗号化する暗号化回路と、暗号化回路により暗号化されたデータを出力する出力部とをさらに含んでいてもよい。
【００２４】
上記カード処理装置において、データ書込装置の切替部を制御する制御部をさらに備え、データ書込装置は、制御部から制御信号が入力される第２入力部をさらに含み、制御部は、書込部により磁気カードにデータが書き込まれないとき（非書き込み処理時）には、書込部と第１入力部とを電気的に切断するように切替部を制御する制御信号を第２入力部に出力し、書込部により磁気カードにデータが書き込まれるとき（書き込み処理時）には、書込部と第１入力部とを電気的に接続するように切替部を制御する制御信号を第２入力部に出力するようにしてもよい。
【００２５】
上記カード処理装置において、データ書込装置は、書込部により磁気カードに対する書き込みが行われるか否かを判断する判断部をさらに含み、切替部は、判断部により磁気カードに対する書き込みが行われると判断された場合にのみ、書込部と第１入力部とを電気的に接続するようにしてもよい。
【発明の効果】
【００２６】
本発明によれば、書込信号が入力される入力部にケーブルが接続されたり、当該入力部に接続される信号線がクランプされるという不正行為が行われた場合にも、磁気カードに記録されたデータが不正に取得されるのを防止することが可能なデータ書込装置およびカード処理装置を提供することができる。
【図面の簡単な説明】
【００２７】
【図１】本発明の第１実施形態によるカード処理装置およびＡＴＭの構成を示したブロック図である。
【図２】図１のカード処理装置の概略を示した側面図である。
【図３】図２のカード処理装置の磁気ヘッドを説明するための図である。
【図４】図３の磁気ヘッドの読取書込部の構造を示した斜視図である。
【図５】図３の磁気ヘッドの読取書込部と、磁気カードの磁気ストライプとの位置関係を説明するための図である。
【図６】図２のカード処理装置の構成を示したブロック図である。
【図７】第１実施形態によるカード処理装置の動作を説明するためのフローチャートである。
【図８】第１実施形態によるカード処理装置の書き込み処理を説明するためのフローチャートである。
【図９】第１実施形態によるカード処理装置の動作を説明するための側面図である。
【図１０】第１実施形態によるカード処理装置の動作を説明するための側面図である。
【図１１】第１実施形態によるカード処理装置の動作を説明するための側面図である。
【図１２】本発明の第２実施形態によるカード処理装置の概略を示した側面図である。
【図１３】図１２のカード処理装置の磁気ヘッドを説明するための図である。
【図１４】第２実施形態によるカード処理装置の書き込み処理を説明するためのフローチャートである。
【図１５】従来の磁気ヘッド（読み取りヘッド）を説明するための図である。
【図１６】従来の磁気ヘッド（書き込みヘッド）を説明するための図である。
【図１７】従来の磁気ヘッド（読み取り／書き込みコンビネーションヘッド）を説明するための図である。
【発明を実施するための形態】
【００２８】
以下、本発明の第１および第２実施形態について、図面を参照しながら説明する。
【００２９】
（第１実施形態）
まず、図１〜図６を参照して、本発明の第１実施形態によるカード処理装置１００およびＡＴＭ（Automated Teller Machine：現金自動預け払い機）１５０の構成について説明する。
【００３０】
ＡＴＭ１５０は、図１に示すように、ＡＴＭ本体１５１と、電源１５２と、カード処理装置１００とを備えている。ＡＴＭ１５０は、現金の引き出しなどの取引を利用者が行うために、金融機関などに設置されている。
【００３１】
第１実施形態によるカード処理装置１００は、ＡＴＭ１５０に設けられており、電源１５２から電力が供給されている。このカード処理装置１００は、利用者により挿入された磁気カード１６０の磁気ストライプ１６１に対して、所定の処理を施すように構成されている。
【００３２】
具体的には、カード処理装置１００は、磁気カード１６０の磁気ストライプ１６１に記録された磁気データを読み取り、その読み取ったデータをＡＴＭ本体１５１に送信する。また、カード処理装置１００は、ＡＴＭ本体１５１から送信されたデータを受信し、その受信したデータを磁気カード１６０の磁気ストライプ１６１に書き込む。
【００３３】
なお、磁気ストライプ１６１には、３つのトラックが設けられており、各トラックには、たとえば、Ｆ２Ｆ（Two Frequency Coherent Phase Encoding）方式を用いて磁気データが記録されている。
【００３４】
カード処理装置１００は、図２に示すように、筐体１と、搬送ローラ２ａ〜２ｄと、カード位置検出部３ａ〜３ｃと、磁気ヘッド（読み取り／書き込みコンビネーションヘッド）４と、シャッタ部材５と、シャッタ位置検出部６と、カード挿入検出部７とを含んでいる。なお、搬送ローラ２ａ〜２ｄは、本発明の「搬送部」の一例であり、磁気ヘッド４は、本発明の「データ書込装置」の一例である。
【００３５】
筐体１には、矢印Ｘ２方向側の端部に磁気カード１６０が挿入される挿入口１ａが設けられている。搬送ローラ２ａ〜２ｄは、それぞれ、搬送路Ｐを挟んで上下一対に設けられており、磁気カード１６０を挿入方向（矢印Ｘ１方向）および排出方向（矢印Ｘ２方向）に搬送する。カード位置検出部３ａ〜３ｃは、たとえば、フォトインタラプタであり、搬送路Ｐ上の磁気カード１６０の位置を検出する。
【００３６】
磁気ヘッド４は、挿入された磁気カード１６０に対してデータの読み取りや書き込みを行う。この磁気ヘッド４は、矢印Ｚ１方向および矢印Ｚ２方向に移動可能に設けられている。具体的には、磁気ヘッド４は、搬送路Ｐに突出しており、磁気カード１６０が搬送路Ｐを通過する場合に、磁気カード１６０の磁気ストライプ１６１（図１参照）と接触した状態で矢印Ｚ１方向に退避する。
【００３７】
磁気ヘッド４には、図３に示すように、読取書込部４１と、回路部４２と、端子部４３とが設けられている。なお、読取書込部４１は、本発明の「書込部」および「読取部」の一例である。
【００３８】
読取書込部４１は、磁気カード１６０に記録されたデータを読み取るとともに、磁気カード１６０にデータを書き込む。この読取書込部４１は、図４に示すように、ギャップ４１ａが形成されたコア４１ｂと、読み取り用のコイル４１ｃと、書き込み用のコイル４１ｄとを有する。なお、コア４１ｂは、読み取り用のコイル４１ｃが巻き付けられる部分の幅が、書き込み用のコイル４１ｄが巻き付けられる部分の幅よりも小さくなるように形成されている。これにより、磁気カード１６０に書き込まれたデータを読み取る際の正確性の向上を図ることが可能である。
【００３９】
読取書込部４１では、読み取り時には、搬送される磁気カード１６０の着磁パターンによりコア４１ｂが磁化されることによって、コイル４１ｃに電流が流れる。これにより、読取書込部４１から再生信号が後述する復号回路４２ａ（図３参照）に出力される。
【００４０】
また、読取書込部４１では、書き込み時には、後述する切替回路４２ｃ（図３参照）から入力される書込信号に応じて、コイル４１ｄに電流が流れることによって、コア４１ｂが磁化されることにより、搬送される磁気カード１６０の磁気ストライプ１６１（図１参照）が着磁される。
【００４１】
回路部４２は、図３に示すように、復号回路４２ａと、暗号化回路４２ｂと、切替回路４２ｃとを有する。なお、切替回路４２ｃは、本発明の「切替部」の一例である。
【００４２】
復号回路４２ａは、所定の周期毎に検出パルスの有無を判定することにより、読取書込部４１から入力される再生信号を２値データに復号する。暗号化回路４２ｂは、復号回路４２ａにより復号されたデータを暗号化する。なお、この暗号化は、たとえば、秘密鍵暗号方式であってもよいし、公開鍵暗号方式であってもよい。
【００４３】
切替回路４２ｃには、後述する入力端子４３ａを介して制御信号が入力されている。この切替回路４２ｃは、スイッチ素子などを有しており、入力される制御信号に応じて、読取書込部４１のコイル４１ｄと、後述する入力端子４３ｂとを電気的に接続するか否かを切り替える。たとえば、切替回路４２ｃは、Ｈ（High）レベルの制御信号が入力されている場合に、書き込み用のコイル４１ｄと入力端子４３ｂとを電気的に接続し、Ｌ（Low）レベルの制御信号が入力されている場合に、書き込み用のコイル４１ｄと入力端子４３ｂとを電気的に切断する。
【００４４】
端子部４３は、制御信号が入力される入力端子４３ａと、読取書込部４１に供給される書込信号が入力される入力端子（書き込み端子）４３ｂと、暗号化回路４２ｂにより暗号化されたデータを出力する出力端子４３ｃと、回路部４２に接続された電源端子４３ｄおよび接地端子４３ｅとを有する。なお、入力端子４３ａおよび４３ｂは、それぞれ、本発明の「第２入力部」および「第１入力部」の一例である。また、出力端子４３ｃは、本発明の「出力部」の一例である。
【００４５】
入力端子４３ａおよび４３ｂは、切替回路４２ｃに接続され、出力端子４３ｃは、暗号化回路４２ｂに接続されている。接地端子４３ｅは、ケーブル４４ｅを介してグランドに接続されている。
【００４６】
また、磁気ヘッド４は、図５に示すように、搬送される磁気カード１６０の磁気ストライプ１６１のトラック１６１ａの延びる方向（矢印Ｘ１方向および矢印Ｘ２方向）と、コア４１ｂのギャップ４１ａの幅方向とが直交するように配置されている。なお、図３では説明の簡略化のために、読取書込部４１と、回路部４２と、入力端子４３ａおよび４３ｂと、出力端子４３ｃとを１組のみ示したが、実際には、読取書込部４１と、回路部４２と、入力端子４３ａおよび４３ｂと、出力端子４３ｃとは、磁気ストライプ１６１の各トラック１６１ａに対応するように３組設けられている。
【００４７】
図２に示すように、シャッタ部材５は、挿入口１ａを開閉するために、開方向（矢印Ｚ１方向）および閉方向（矢印Ｚ２方向）に移動可能に設けられている。シャッタ位置検出部６は、たとえば、マイクロスイッチであり、シャッタ部材５が閉状態の位置まで移動したことを検出する。カード挿入検出部７は、たとえば、磁気ヘッドであり、挿入口１ａに磁気カード１６０が挿入されたことを検出する。
【００４８】
また、カード処理装置１００には、図６に示すように、搬送ローラ２ａ〜２ｄを駆動するモータ８と、シャッタ部材５を移動させるためのソレノイドなどからなるアクチュエータ９と、ＡＴＭ本体１５１とデータのやり取りを行うための通信部１０とが設けられている。
【００４９】
また、カード処理装置１００は、復号化回路１１と、ライト回路１２と、回路部用電源１３と、電源部１４と、制御部１５とを含んでいる。
【００５０】
復号化回路１１は、ケーブル４４ｃ（図３参照）を介して磁気ヘッド４の出力端子４３ｃ（図３参照）に接続されている。このため、復号化回路１１には、暗号化回路４２ｂ（図３参照）により暗号化されたデータが入力される。そして、復号化回路１１は、暗号化回路４２ｂから入力された暗号化されたデータを復号化して制御部１５に出力する。
【００５１】
ライト回路１２は、ケーブル（信号線）４４ｂ（図３参照）を介して磁気ヘッド４の入力端子４３ｂ（図３参照）に接続されている。このライト回路１２は、書込信号を生成して入力端子４３ｂに出力する。なお、書込信号とは、読取書込部４１により磁気カード１６０に書き込まれるデータに対応する信号である。
【００５２】
回路部用電源１３は、ケーブル４４ｄ（図３参照）を介して磁気ヘッド４の電源端子４３ｄ（図３参照）に接続されている。回路部用電源１３には、電源部１４から電力が供給されており、回路部用電源１３は、ケーブル４４ｄおよび電源端子４３ｄを介して回路部４２に電力を供給している。
【００５３】
電源部１４には、ＡＴＭ１５０（図１参照）の電源１５２から電力が供給されている。なお、図６では、簡略化のために省略したが、電源部１４は、カード処理装置１００の各部（制御部１５など）にも電力を供給する。
【００５４】
制御部１５は、ＣＰＵ、ＲＯＭ、およびＲＡＭなどを有する。この制御部１５は、ケーブル４４ａ（図３参照）を介して磁気ヘッド４の入力端子４３ａ（図３参照）に接続されている。そして、制御部１５は、磁気カード１６０に対する書き込みが行われるときには、Ｈレベルの制御信号を入力端子４３ａに出力し、磁気カード１６０に対する書き込みが行われないときには、Ｌレベルの制御信号を入力端子４３ａに出力する。
【００５５】
次に、図２〜図１１を参照して、本発明の第１実施形態によるカード処理装置１００の動作について説明する。なお、図７および図８のフローチャートの各ステップは、制御部１５（図６参照）により実行される。また、磁気カード１６０が挿入される前においては、制御部１５は、Ｌレベルの制御信号を入力端子４３ａ（図３参照）に出力している。このため、切替回路４２ｃ（図３参照）は、書き込み用のコイル４１ｄ（図３参照）と入力端子４３ｂ（図３参照）とを電気的に切断している。
【００５６】
まず、カード処理装置１００では、図７のステップＳ１において、カード挿入検出部７（図２参照）の検出結果に基づいて、磁気カード１６０（図２参照）が筐体１の挿入口１ａ（図２参照）に挿入されたか否かが判断される。磁気カード１６０が挿入口１ａに挿入されていないと判断された場合には、ステップＳ１が繰り返し行われる。すなわち、カード処理装置１００は、磁気カード１６０が挿入されるまで待機する。そして、磁気カード１６０が挿入口１ａに挿入されたと判断されると、ステップＳ２に移る。
【００５７】
次に、ステップＳ２において、アクチュエータ９（図６参照）により、シャッタ部材５（図２参照）を開方向（矢印Ｚ１方向）に移動させる。これにより、図９に示すように、シャッタ部材５が搬送路Ｐから退避するので、挿入口１ａが開かれる。次に、ステップＳ３において、モータ８（図６参照）を駆動することにより、搬送ローラ２ａ〜２ｄ（図９参照）を正転させる。これにより、磁気カード１６０が矢印Ｘ１方向に搬送されるので、図１０に示すように、磁気カード１６０が筐体１の内部に取り込まれる。なお、挿入口１ａは、開かれてから所定の時間経過後にシャッタ部材５により閉じられる。
【００５８】
次に、ステップＳ４において、磁気ヘッド４（図１０参照）により、筐体１の内部に取り込まれた磁気カード１６０に記録されたデータの読み取りが行われる。具体的には、磁気カード１６０が搬送される過程において、磁気ヘッド４の読取書込部４１（図３参照）から再生信号が復号回路４２ａ（図３参照）に出力される。そして、復号回路４２ａは、再生信号を２値データに復号して暗号化回路４２ｂ（図３参照）に出力する。
【００５９】
暗号化回路４２ｂは、復号回路４２ａにより復号されたデータを暗号化する。そして、暗号化されたデータは、出力端子４３ｃからケーブル４４ｃ（図３参照）を介して復号化回路１１（図６参照）に出力される。復号化回路１１は、暗号化されたデータを復号化して制御部１５に出力する。そして、制御部１５は、磁気カード１６０から読み取られたデータを通信部１０（図６参照）を介してＡＴＭ本体１５１（図６参照）に送信する。
【００６０】
ここで、磁気カード１６０に記録されたデータの読み取りが行われる際に、制御部１５は、Ｌレベルの制御信号を入力端子４３ａに出力している。このため、切替回路４２ｃは、書き込み用のコイル４１ｄと入力端子４３ｂとを電気的に切断している。したがって、入力端子４３ｂおよびケーブル４４ｂには、読取書込部４１により読み取られた再生信号があらわれない。
【００６１】
次に、ステップＳ５において、通信部１０により、ＡＴＭ本体１５１から書込指令を受信したか否かが判断される。そして、書込指令を受信したと判断された場合には、ステップＳ６に移る。その一方、書込指令を受信していないと判断された場合には、ステップＳ７に移る。
【００６２】
次に、ステップＳ６において、磁気ヘッド４により、筐体１の内部に取り込まれた磁気カード１６０に対してデータの書き込みが行われる。
【００６３】
具体的には、図８のステップＳ１１において、ライト回路１２（図６参照）により、受信した書込指令に応じた書込信号が生成される。そして、ステップＳ１２において、制御部１５により、磁気ヘッド４の入力端子４３ａに出力される制御信号がＬレベルからＨレベルに切り替えられる。これにより、磁気ヘッド４の切替回路４２ｃは、書き込み用のコイル４１ｄと入力端子４３ｂとを電気的に接続する。
【００６４】
次に、ステップＳ１３において、モータ８を駆動することにより、搬送ローラ２ａ〜２ｄを回転させる。これにより、磁気カード１６０が搬送される。次に、ステップＳ１４において、ライト回路１２により、書込信号がケーブル４４ｂを介して磁気ヘッド４の入力端子４３ｂに出力される。
【００６５】
そして、書き込み用のコイル４１ｄと入力端子４３ｂとが電気的に接続されていることから、入力端子４３ｂに入力される書込信号が読取書込部４１のコイル４１ｄに供給される。このとき、読取書込部４１では、書込信号に応じてコイル４１ｄに電流が流れる。これにより、コア４１ｂが磁化されるので、搬送される磁気カード１６０の磁気ストライプ１６１（図５参照）が着磁される。このようにして、磁気カード１６０に対するデータの書き込みが行われる。
【００６６】
次に、ステップＳ１５において、制御部１５により、磁気カード１６０に対するデータの書き込みが終了したか否かが判断される。書き込みが終了したか否かの判断は、たとえば、モータ８のステップ数に基づいて判断される。なお、この判断は、ライト回路１２から書込信号が出力されているか否かに基づいて判断してもよいし、カード位置検出部３ａ〜３ｃ（図２参照）の検出結果に基づいて判断してもよい。
【００６７】
磁気カード１６０に対する書き込みが終了していないと判断された場合には、ステップＳ１５が繰り返し行われる。そして、磁気カード１６０に対する書き込みが終了したと判断された場合には、ステップＳ１６に移る。
【００６８】
次に、ステップＳ１６において、制御部１５により、入力端子４３ａに出力される制御信号がＨレベルからＬレベルに切り替えられる。これにより、磁気ヘッド４の切替回路４２ｃは、書き込み用のコイル４１ｄと入力端子４３ｂとを電気的に切断する。以上により、磁気カード１６０に対するデータの書き込み処理が終了する。
【００６９】
その後、図７のステップＳ７において、ＡＴＭ本体１５１からの磁気カード１６０の排出指令を通信部１０が受信したか否かが判断される。そして、排出指令を受信したと判断された場合には、ステップＳ８に移る。その一方、排出指令を受信していないと判断された場合には、ステップＳ５に戻る。
【００７０】
次に、ステップＳ８において、アクチュエータ９により、シャッタ部材５を矢印Ｚ１方向に移動させる。これにより、図１１に示すように、シャッタ部材５が搬送路Ｐから退避するので、挿入口１ａが開かれる。次に、ステップＳ９において、モータ８を駆動することにより、搬送ローラ２ａ〜２ｄを逆転させる。これにより、磁気カード１６０が矢印Ｘ２方向に搬送され、挿入口１ａから排出される。
【００７１】
次に、ステップＳ１０において、カード挿入検出部７の検出結果に基づいて、磁気カード１６０が挿入口１ａから抜き取られたか否かが判断される。磁気カード１６０が抜き取られていないと判断された場合には、ステップＳ１０が繰り返し行われる。すなわち、カード処理装置１００は、磁気カード１６０が抜き取られるまで待機する。そして、磁気カード１６０が抜き取られたと判断されると、挿入口１ａがシャッタ部材５により閉じられ、一連の動作が終了する。
【００７２】
第１実施形態では、上記のように、読取書込部４１の書き込み用のコイル４１ｄと、入力端子４３ｂとを電気的に接続するか否かを切り替える切替回路４２ｃを磁気ヘッド４に設け、磁気カード１６０に対する書き込みが行われるときにのみ、書き込み用のコイル４１ｄと入力端子４３ｂとを電気的に接続する。このように構成することによって、読取書込部４１により磁気カード１６０に記録されたデータの読み取りが行われるときに、入力端子４３ｂおよびケーブル４４ｂに再生信号があらわれなくなる。これにより、入力端子４３ｂにケーブルが接続されたり、入力端子４３ｂに接続されるケーブル（信号線）４４ｂがクランプされるという不正行為が行われた場合にも、磁気カード１６０に記録されたデータが不正に取得されるのを防止することができる。
【００７３】
また、第１実施形態では、切替回路４２ｃが、制御部１５から出力される制御信号に応じて、書き込み用のコイル４１ｄと入力端子４３ｂとを電気的に接続するか否かを切り替えることによって、容易に、磁気カード１６０に対する書き込みが行われるときにのみ、コイル４１ｄと入力端子４３ｂとを電気的に接続することができる。
【００７４】
また、第１実施形態では、磁気ヘッド４に暗号化回路４２ｂを設けることによって、出力端子４３ｃにケーブルが接続されたり、出力端子４３ｃに接続されるケーブル４４ｃがクランプされるという不正行為が行われた場合にも、出力端子４３ｃから出力されるデータは暗号化されているので、磁気カード１６０に記録されたデータが不正に取得されるのを防止することができる。
【００７５】
（第２実施形態）
次に、図１２および図１３を参照して、本発明の第２実施形態によるカード処理装置２００の構成について説明する。
【００７６】
第２実施形態によるカード処理装置２００は、図１２に示すように、磁気ヘッド２０１を備えている。なお、カード処理装置２００のその他の構成は、カード処理装置１００（図２および図６参照）と略同様であるので説明を省略する。また、磁気ヘッド２０１は、本発明の「データ書込装置」の一例である。
【００７７】
磁気ヘッド２０１には、図１３に示すように、読取書込部４１と、回路部２０２と、端子部２０３とが設けられている。なお、読取書込部４１は、上記第１実施形態と同様であるので説明を省略する。
【００７８】
回路部２０２は、復号回路２０２ａと、暗号化回路２０２ｂと、切替回路２０２ｃと、通信制御部２０２ｄと、磁気ヘッド制御部２０２ｅとを有する。なお、切替回路２０２ｃは、本発明の「切替部」の一例であり、磁気ヘッド制御部２０２ｅは、本発明の「判断部」の一例である。
【００７９】
復号回路２０２ａは、所定の周期毎に検出パルスの有無を判定することにより、読取書込部４１から入力される再生信号を２値データに復号する。暗号化回路２０２ｂは、復号回路２０２ａにより復号されたデータを暗号化する。なお、この暗号化は、たとえば、秘密鍵暗号方式であってもよいし、公開鍵暗号方式であってもよい。
【００８０】
切替回路２０２ｃは、スイッチ素子などを有しており、読取書込部４１のコイル４１ｄと入力端子４３ｂとを電気的に接続するか否かを切り替える。たとえば、切替回路２０２ｃは、磁気ヘッド制御部２０２ｅにより磁気カード１６０に対する書き込みが行われると判断される場合にのみ、書き込み用のコイル４１ｄと入力端子４３ｂとを電気的に接続し、磁気ヘッド制御部２０２ｅにより磁気カード１６０に対する書き込みが行われないと判断される場合には、書き込み用のコイル４１ｄと入力端子４３ｂとを電気的に切断する。
【００８１】
なお、「磁気カード１６０に対する書き込みが行われないとき」には、「磁気カード１６０の読み取りが行われるとき」や、「磁気カード１６０の搬送が行われるとき」が含まれる。
【００８２】
通信制御部２０２ｄは、磁気ヘッド２０１と、復号化回路１１および制御部１５（図６参照）とのデータのやりとりを制御する。具体的には、通信制御部２０２ｄは、暗号化回路２０２ｂにより暗号化されたデータを後述する通信端子２０３ａから復号化回路１１に出力する。また、通信制御部２０２ｄには、通信端子２０３ａを介して制御部１５から書込開始通知および書込終了通知が入力される。磁気ヘッド制御部２０２ｅは、磁気ヘッド２０１の動作を制御する。この磁気ヘッド制御部２０２ｅは、書込開始通知がされてから書込終了通知がされるまでの間は、磁気カード１６０に対する書き込みが行われると判断し、それ以外のときは、磁気カード１６０に対する書き込みが行われないと判断する。
【００８３】
端子部２０３は、読取書込部４１に供給される書込信号が入力される入力端子（書き込み端子）４３ｂと、通信制御部２０２ｄに接続された通信端子２０３ａと、回路部２０２に接続された電源端子４３ｄおよび接地端子４３ｅとを有する。なお、通信端子２０３ａは、本発明の「出力部」の一例である。
【００８４】
次に、図１、図５、図６および図１２〜図１４を参照して、本発明の第２実施形態によるカード処理装置２００の動作について説明する。なお、図１４のフローチャートの各ステップは、制御部１５（図６参照）により実行される。また、カード処理装置２００の動作は、書き込み処理（図７のステップＳ６）以外は、第１実施形態と同様であり、説明を省略する。
【００８５】
第２実施形態の書き込み処理では、図１４のステップＳ２１において、ライト回路１２（図６参照）により、受信した書込指令に応じた書込信号が生成される。そして、ステップＳ２２において、制御部１５により、磁気カード１６０に対する書込みが開始されることを示す書込開始通知が磁気ヘッド２０１（図１３参照）に出力される。この書込開始通知は、ケーブル２０４および通信端子２０３ａを介して通信制御部２０２ｄ（図１３参照）に入力される。
【００８６】
次に、ステップＳ２３において、書込開始通知がされたことから、磁気ヘッド２０１の磁気ヘッド制御部２０２ｅ（図１３参照）により、磁気カード１６０に対する書き込みが開始されると判断される。このとき、切替回路２０２ｃ（図１３参照）により、書き込み用のコイル４１ｄと入力端子４３ｂ（図１３参照）とが電気的に接続される。
【００８７】
次に、ステップＳ２４において、モータ８（図６参照）を駆動することにより、搬送ローラ２ａ〜２ｄ（図６参照）を回転させる。これにより、磁気カード１６０が搬送される。次に、ステップＳ２５において、ライト回路１２により、書込信号がケーブル４４ｂを介して磁気ヘッド４の入力端子４３ｂに出力される。
【００８８】
そして、書き込み用のコイル４１ｄと入力端子４３ｂとが電気的に接続されていることから、入力端子４３ｂに入力される書込信号が読取書込部４１のコイル４１ｄに供給される。このとき、読取書込部４１では、書込信号に応じてコイル４１ｄに電流が流れる。これにより、コア４１ｂが磁化されるので、搬送される磁気カード１６０の磁気ストライプ１６１（図５参照）が着磁される。このようにして、磁気カード１６０に対するデータの書き込みが行われる。
【００８９】
次に、ステップＳ２６において、制御部１５により、磁気カード１６０に対するデータの書き込みが終了したか否かが判断される。書き込みが終了したか否かの判断は、たとえば、モータ８のステップ数に基づいて判断される。なお、この判断は、ライト回路１２から書込信号が出力されているか否かに基づいて判断してもよいし、カード位置検出部３ａ〜３ｃ（図２参照）の検出結果に基づいて判断してもよい。
【００９０】
磁気カード１６０に対する書き込みが終了していないと判断された場合には、ステップＳ２６が繰り返し行われる。そして、磁気カード１６０に対する書き込みが終了したと判断された場合には、ステップＳ２７に移る。
【００９１】
次に、ステップＳ２７において、制御部１５により、磁気カード１６０に対する書き込みが終了したことを示す書込終了通知が磁気ヘッド２０１に出力される。この書込終了通知は、ケーブル２０４および通信端子２０３ａを介して通信制御部２０２ｄに入力される。
【００９２】
次に、ステップＳ２８において、書込終了通知がされたことから、磁気ヘッド２０１の磁気ヘッド制御部２０２ｅにより、磁気カード１６０に対する書き込みが終了したと判断される。このとき、切替回路２０２ｃにより、書き込み用のコイル４１ｄと入力端子４３ｂとが電気的に切断される。以上により、磁気カード１６０に対するデータの書き込み処理が終了する。
【００９３】
第２実施形態では、上記のように、読取書込部４１の書き込み用のコイル４１ｄと、入力端子４３ｂとを電気的に接続するか否かを切り替える切替回路２０２２ｃを磁気ヘッド２０１に設け、磁気カード１６０に対する書き込みが行われるときにのみ、書き込み用のコイル４１ｄと入力端子４３ｂとを電気的に接続する。このように構成することによって、読取書込部４１により磁気カード１６０に記録されたデータの読み取りが行われるときに、入力端子４３ｂおよびケーブル４４ｂに再生信号があらわれなくなる。これにより、入力端子４３ｂにケーブルが接続されたり、入力端子４３ｂに接続されるケーブル（信号線）４４ｂがクランプされるという不正行為が行われた場合にも、磁気カード１６０に記録されたデータが不正に取得されるのを防止することができる。
【００９４】
また、第２実施形態では、切替回路２０２ｃは、磁気ヘッド制御部２０２ｅによる磁気カード１６０に対する書き込みが行われるか否かの判断に応じて、書き込み用のコイル４１ｄと入力端子４３ｂとを電気的に接続するか否かを切り替える。また、磁気ヘッド制御部２０２ｅは、通信端子２０３ａに入力される書込開始通知および書込終了通知に基づいて、磁気カード１６０の読み取りが行われるか否かを判断する。このように構成することによって、第１実施形態のように、制御信号が入力される入力端子４３ａ（図３参照）を設ける必要がないので、その分、端子数を削減することができる。
【００９５】
なお、第２実施形態のその他の効果は、上記第１実施形態と同様である。
【００９６】
本発明は、上述した以外にも種々の実施形態を採用することができる。たとえば、上記第１実施形態では、ＡＴＭ１５０に設けられたカード処理装置１００に本発明を適用する例を示したが、これに限らず、入退室管理装置などのその他の上位装置に設けられたカード処理装置に本発明を適用してもよい。なお、第２実施形態についても同様である。
【００９７】
また、上記第１実施形態では、磁気ヘッド４に読取書込部４１が設けられる例を示したが、これに限らず、磁気ヘッドに読取部と書込部とが別個に設けられていてもよい。この場合、読取部が磁気抵抗素子などのその他の磁気センサであってもよい。なお、第２実施形態についても同様である。
【００９８】
また、上記第１実施形態では、磁気カード１６０の磁気ストライプ１６１のトラック１６１ａに対応するように、磁気ヘッド４に３つの読取書込部４１が設けられる例を示したが、これに限らず、磁気ヘッド４に設けられる読取書込部４１が２つ以下であってもよいし、４つ以上であってもよい。なお、第２実施形態についても同様である。
【００９９】
また、上記第１実施形態では、３つの読取書込部４１に対応するように、３つの出力端子４３ｃが設けられる例を示したが、これに限らず、３つの読取書込部４１により読み取ったデータを出力可能であれば、出力端子４３ｃがいくつであってもよい。なお、第２実施形態についても同様である。
【０１００】
また、上記第１実施形態では、読み取り／書き込みコンビネーションヘッドに本発明を適用する例を示したが、これに限らず、書き込み専用の磁気ヘッドに本発明を適用してもよい。すなわち、磁気ヘッド４において、読み取り用のコイル４１ｃ、復号回路４２ａ、暗号化回路４２ｂおよび出力端子４３ｃが設けられていなくてもよい。
【０１０１】
また、上記第１実施形態では、ＨレベルまたはＬレベルの制御信号が切替回路４２ｃに入力される例を示したが、これに限らず、特定の符号が制御信号として切替回路４２ｃに入力されるようにしてもよい。具体的には、切替回路４２ｃは、Ｈレベルの制御信号が入力されている場合に、書き込み用のコイル４１ｄと入力端子４３ｂとを電気的に接続し、Ｌレベルの制御信号が入力されている場合に、書き込み用のコイル４１ｄと入力端子４３ｂとを電気的に切断する例を示したが、これに限らず、切替回路４２ｃは、所定の符号（たとえば、ＨＬＬＬＨ）が入力された場合に、書き込み用のコイル４１ｄと入力端子４３ｂとを電気的に接続し、所定の符号（たとえば、ＨＬＨＬＨ）が入力された場合に、書き込み用のコイル４１ｄと入力端子４３ｂとを電気的に切断するようにしてもよい。
【０１０２】
また、上記第１実施形態において、磁気カード１６０に対する書き込みが行われるときにのみ、制御信号をＨレベルにすることにより、書き込み用のコイル４１ｄと入力端子４３ｂとを電気的に接続する例を示したが、少なくとも、磁気カード１６０に記録されたデータが読み取られるとき、および磁気カード１６０が搬送されるときに、制御信号をＬレベルにすることにより、書き込み用のコイル４１ｄと入力端子４３ｂとを電気的に切断すればよい。
【０１０３】
また、上記第２実施形態では、制御部１５から書込開始通知および書込終了通知が入力される例を示したが、これに限らず、制御部１５から読取通知や搬送通知が入力されるようにしてもよい。この場合、磁気ヘッド制御部２０２ｅは、読取通知がされている場合に、磁気カード１６０の読み取りが行われると判断し、搬送通知がされている場合に、磁気カード１６０の搬送が行われると判断する。このようなときに、切替回路２０２ｃは、書き込み用のコイル４１ｄと入力端子４３ｂとを電気的に切断する。
【０１０４】
また、上記第２実施形態では、磁気ヘッド制御部２０２ｅが、通信端子２０３ａに入力される書込開始通知および書込終了通知に基づいて、磁気カード１６０に対する書き込みが行われるか否かを判断する例を示したが、これに限らず、磁気ヘッド２０１に磁気カード１６０の読み取りを検出する検出部を設け、磁気ヘッド制御部２０２ｅが、その検出部の検出結果に基づいて、磁気カード１６０の読み取りが行われるか否かを判断するようにしてもよい。
【０１０５】
また、上記第２実施形態では、磁気ヘッド制御部２０２ｅが、書込終了通知がされることにより、磁気カード１６０に対する書き込みが終了したと判断する例を示したが、これに限らず、磁気ヘッド制御部２０２ｅが、書込開始通知がされた後、所定の時間が経過することにより、磁気カード１６０に対する書き込みが終了したと判断するようにしてもよい。
【符号の説明】
【０１０６】
１ａ              挿入口
２ａ〜２ｄ        搬送ローラ（搬送部）
４、２０１        磁気ヘッド（データ書込装置）
１５              制御部
４１              読取書込部（書込部、読取部）
４２ｂ、２０２ｂ  暗号化回路
４２ｃ、２０２ｃ  切替回路（切替部）
４３ａ            入力端子（第２入力部）
４３ｂ            入力端子（第１入力部）
４３ｃ            出力端子（出力部）
１００、２００    カード処理装置
１６０            磁気カード
２０２ｅ          磁気ヘッド制御部（判断部）
２０３ａ          通信端子（出力部）
【図１】
2011215748.tif 000003
【図２】
2011215748.tif 000004
【図３】
2011215748.tif 000005
【図４】
2011215748.tif 000006
【図５】
2011215748.tif 000007
【図６】
2011215748.tif 000008
【図７】
2011215748.tif 000009
【図８】
2011215748.tif 000010
【図９】
2011215748.tif 000011
【図１０】
2011215748.tif 000012
【図１１】
2011215748.tif 000013
【図１２】
2011215748.tif 000014
【図１３】
2011215748.tif 000015
【図１４】
2011215748.tif 000016
【図１５】
2011215748.tif 000017
【図１６】
2011215748.tif 000018
【図１７】
2011215748.tif 000019